(57)【特許請求の範囲】
【請求項１】
映像信号からインターレース信号を生成するインターレース信号生成回路と、
前記映像信号からプログレッシブ信号を生成するプログレッシブ信号生成回路と、
前記映像信号が２４コマ／秒と３０コマ／秒の何れであるかを検出する検出回路と、
前記検出回路の出力に基づき、前記映像信号が２４コマ／秒である時、前記プログレッシブ信号を選択して出力し、また前記映像信号が３０コマ／秒である時、前記インターレース信号を選択して出力する切替回路と、
を備えることを特徴とする映像信号出力装置。
【請求項２】
前記映像信号は２４コマ／秒である時、２−３変換のフィールド挿入点を示すＦＦＲＦ信号を含み、前記検出回路は当該ＦＦＲＦ信号の有無を見て、前記映像信号が２４コマ／秒と３０コマ／秒の何れであるかを検出することを特徴とする請求項１に記載の映像信号出力装置。
【請求項３】
前記プログレッシブ信号生成回路は前記ＦＦＲＦ信号に基づいて、前記プログレッシブ信号を生成することを特徴とする請求項２に記載の映像信号出力装置。
【発明の詳細な説明】
【０００１】
本発明は、ＤＶＤ（Digital Versatile Disc）プレーヤなど映像信号を出力する映像信号出力装置に関し、特にプログレッシブ信号を出力することができる映像信号出力装置に関する。
【発明の属する技術分野】
【０００２】
【従来の技術】
映画フィルムなどの映画素材から作成されたＤＶＤビデオソフトには、ＭＰＥＧエンコード時の圧縮率を高めるため、映画フィルムと同じ２４コマ／秒の静止画からなる映像信号が記録され、更にこの２４コマ／秒の静止画をインターレースのビデオ信号（６０フィールド／秒）に変換するためのＦＦＲＦ（First Field Repeat Flag）信号が記録されている。従って、映画素材から作成されたＤＶＤビデオソフトを再生する場合、このＦＦＲＦ信号に基づき、ディスク再生部内のメモリに蓄積された各静止画データを順次３回、２回、３回、２回、・・・と繰り返し読み出せば完全なプログレッシブ信号を容易に生成することが出来る。
【０００３】
一方、ビデオテープレコーダなどのビデオ素材から作成されたＤＶＤビデオソフトには、インターレース処理された映像信号が３０コマ／秒で記録されており、この場合、プログレッシブ信号生成回路は、映像信号本来がインターレース処理されているため、映像信号の動き検出を正確に行うことができる大規模な信号処理回路が必要とされる。
【０００４】
【発明が解決しようとする課題】
しかしながら、ローコストなＤＶＤプレーヤにおいては、コスト的な面から映像信号の動き検出を正確に行うことができる高価なプログレッシブ信号生成回路を搭載することができず、簡易的なフィールド内補間方式のプログレッシブ信号生成回路の搭載に留まる。このため、係るＤＶＤプレーヤによれば、ビデオ素材から作成されたＤＶＤビデオソフトを再生した場合に出力するプログレッシブ信号の品質が悪く、プログレッシブ方式のデレビ受像機に接続するとその表示画像にフリッカ等が発生してしまうという問題があった。
【０００５】
一方、プログレッシブ方式のテレビ受像機は、高額商品であるが故に、その内部に映像信号の動き検出を正確に行い、高品位なプログレッシブ信号を生成することができるインターレース／プログレッシブ変換器（以下、Ｉ／Ｐ変換器という）を備える。しかし、テレビ受像機側のＩ／Ｐ変換器は、いかに高品位なプログレッシブ信号を生成できるといっても、その入力映像信号にはＦＦＲＦ信号が含まれていないため、ＤＶＤプレーヤがＦＦＲＦ信号に基づき生成した完全なプログレッシブ信号より品質が劣るという欠点があった。
【０００６】
本発明は、上記課題に鑑み成されたものであり、映像信号のコマ数に拘わらず、プログレッシブ方式のテレビ受像機上で常に最高の画質を得ることができる映像信号出力装置を提供することにある。
【０００７】
【課題を解決するための手段】
上記課題を解決するため請求項１に記載の発明は、映像信号からインターレース信号を生成するインターレース信号生成回路と、映像信号からプログレッシブ信号を生成するプログレッシブ信号生成回路と、映像信号が２４コマ／秒と３０コマ／秒の何れであるかを検出する検出回路と、検出回路の出力に基づき映像信号が２４コマ／秒である時、プログレッシブ信号を選択して出力し、また映像信号が３０コマ／秒である時、インターレース信号を選択して出力する切替回路とを備えることを特徴とする。
【０００８】
また、請求項２に記載の発明に係る映像信号出力装置は、請求項１に記載の映像信号出力装置において、映像信号は２４コマ／秒である時、２−３変換のフィールド挿入点を示すＦＦＲＦ信号を含み、検出回路は当該ＦＦＲＦ信号の有無を見て、映像信号が２４コマ／秒と３０コマ／秒の何れであるかを検出することを特徴とする。
【０００９】
また、請求項３に記載の発明に係る映像信号出力装置は、請求項２に記載の映像信号出力装置において、プログレッシブ信号生成回路はＦＦＲＦ信号に基づいて、プログレッシブ信号を生成することを特徴とする。
【００１０】
【発明の実施の形態】
次に、本発明の第１実施形態による映像信号出力装置１０について説明する。図１は、本発明の第１実施形形態による映像信号出力装置１０と、プログレッシブ信号の入力が可能なテレビ受像機２０の要部回路ブロック図である。図１を用いて本実施形態の映像信号出力装置１０の回路構成を説明する。尚、テレビ受像機の要部回路構成についても併せて説明する。
【００１１】
映像信号出力装置１０は、ＤＶＤビデオプレーヤを構成しており、ＤＶＤビデオソフト（図示しない）を再生するディスク再生部１と、再生された映像信号からインターレース信号を生成するインターレース信号生成回路２と、再生された映像信号からプログレッシブ信号を生成するプログレッシブ信号生成回路３と、コントローラ４と、コントローラ４の制御信号に基づきインターレース信号生成回路２の出力信号とプログレッシブ信号生成回路３の出力信号を切り換える切替回路５と、当該切替回路５から出力されるデジタル信号をアナログ信号に変換するＤ／Ａ変換器６とで構成されている。尚、コントローラ４は、再生された映像信号からＦＦＲＦ（First Field Repeat Flag）信号を検出する検出回路を担い、当該検出回路の検出結果に基づき切替回路５を制御するように構成されている。なお、ＦＦＲＦ信号の詳細については、ISO／IEC13818-2 MPEG 2スタンダードの記載を参照されたい。
【００１２】
一方、映像信号出力装置１０に接続されるテレビ受像機２０は、入力映像信号をデジタル信号に変換するＡ／Ｄ変換器１１と、当該デジタル化された入力映像信号をプログレッシブ信号に変換する高性能なＩ／Ｐ変換器１２と、このプログレッシブ信号をアナログ信号に戻すＤ／Ａ変換器１３と、入力映像信号がプログレッシブ信号である場合、それを直接処理し、入力映像信号がインターレース信号である場合、上述したＡ／Ｄ変換器１１、Ｉ／Ｐ変換器１２およびＤ／Ａ変換器１３により変換されたプログレッシブ信号を自動的に選択処理する映像処理回路１４と、映像処理回路１４から出力された表示信号を表示するブラウン管からなる表示装置１５と、から構成された所謂プログレッシブテレビである。
【００１３】
次に第１実施形態の映像信号出力装置１０の動作を説明する。
映像信号出力装置１０は、使用者によりＤＶＤビデオソフトの再生操作が行われると、ディスク再生部１でＤＶＤビデオソフトを再生する。コントローラ４は、ディスク再生部１から再生された映像信号に２−３変換のフィールド挿入点を示すＦＦＲＦ信号が含まれていない場合、装着されたＤＶＤビデオソフトがビデオ素材から作成された３０コマ／秒のＤＶＤビデオソフトであると判断し、切替回路５をインターレース信号生成回路２側に切り換える。インターレース信号生成回路２は、ディスク再生部１から供給される再生映像信号に基づきインターレース信号を生成して出力する。映像信号出力装置１０は、切替回路５により生成されたインターレース信号をＤ／Ａ変換器６によりアナログ信号に変換して出力する。
【００１４】
また、コントローラ４は、ディスク再生部１から再生された映像信号にＦＦＲＦ信号が含まれている場合、装着されたＤＶＤビデオソフトが映画素材から作成された２４コマ／秒のＤＶＤビデオソフトであると判断し、切替回路５をプログレッシブ信号生成回路３側に切り換える。映像信号出力装置１０は、切替回路５から出力されたプログレッシブ信号をＤ／Ａ変換器６によりアナログ信号に変換して出力する。
【００１５】
この第１実施形態は、ディスク再生部１内に設けられた映像信号出力回路（図示しない）とインターレース信号生成回路２とプログレッシブ信号生成回路３とを、一つのＬＳＩ上に構成する場合に好適であり、プログレッシブ信号がインターレース信号生成回路２を介することなく生成されることからその高品位化が図れる。
【００１６】
一方、テレビ受像機２０では、映像信号出力装置１０から供給された映像信号がプログレッシブ信号の場合、それを映像処理回路１４により直接信号処理して表示装置１５に表示する。
【００１７】
また、テレビ受像機２０は、映像信号出力装置１０から供給された映像信号がインターレース信号の場合、入力映像信号をＡ／Ｄ変換器１１でデジタル信号に変換した後、Ｉ／Ｐ変換器１２によりプログレッシブ信号に変換する。なお、Ｉ／Ｐ変換器１２は、映像信号出力装置１０側から供給される奇数フィールドの画像データと偶数フィールドの画像データとを図示しないメモリに取り込んで、フィールド毎の画像データの隣接する画素間の差分に基づいて画像の動き検出を行う。そして、Ｉ／Ｐ変換器１２は、この動き検出の結果に基づいてフィールド間補間を行い、３０コマ／秒の画像データを６０コマ／秒のプログレッシブ信号に変換するものである。このＩ／Ｐ変換器１２から出力されたプログレッシブ信号はＤ／Ａ変換器１３によりアナログ信号に変換される。入力映像信号がインターレース信号であるため、映像処理回路１４はＤ／Ａ変換器１３から出力されたプログレッシブ信号を選択、信号処理して表示装置１５に表示する。
【００１８】
上述したように第１実施形態の映像信号出力装置１０によれば、ディスク再生部１から供給される映像信号が３０コマ／秒の場合、テレビ受像機２０側により高精度のＩ／Ｐ変換が行われるよう、インターレース信号からなる映像信号を出力する。一方、ディスク再生部１から供給される映像信号が２４コマ／秒の場合は、ディスクから得られたＦＦＲＦ信号を用いてその内部により完全なＩ／Ｐ変換を行って、プログレッシブ信号からなる映像信号を出力する。よって、テレビ受像機２０上では常に最高の画質を得ることが可能となる。
【００１９】
次に、本発明の第２実施形態における映像信号出力装置３０について図２を用いて説明する。なお、第２実施形態の映像信号出力装置３０は、図２に示すようにプログレッシブ信号生成回路３がインターレース信号生成回路２で生成されたインターレース信号に基づきプログレッシブ信号を生成する点が、第１実施形態の映像信号出力装置１０と相違する。その他の構成については、上述した第１実施形態の場合と同様であるため、詳細な説明を省略する。
【００２０】
映像信号出力装置３０は、使用者によりＤＶＤビデオソフトの再生操作が行われると、ディスク再生部１でＤＶＤビデオソフトを再生する。コントローラ４は、供給される映像信号にＦＦＲＦ信号が含まれていない場合は、装着されたＤＶＤビデオソフトがビデオ素材から作成された３０コマ／秒のＤＶＤビデオソフトであると判断し、切替回路５をインターレース信号生成回路２側に切り替える。従って、Ｄ／Ａ変換器６からはインターレース信号からなる映像信号が出力される。
【００２１】
また、コントローラ４は、供給される映像信号にＦＦＲＦ信号が含まれている場合は、装着されたＤＶＤビデオソフトが映画素材から作成された２４コマ／秒のＤＶＤビデオソフトであると判断し、切替回路５をプログレッシブ信号生成回路３側に切り換える。プログレッシブ信号生成回路３は、インターレース信号生成回路２から出力されたインターレース信号をＦＦＲＦ信号に基づき２−３プルダウン方式の変換を行い、プログレッシブ信号を生成する。従って、Ｄ／Ａ変換器６からはプログレッシブ信号からなる映像信号が出力される。
【００２２】
この第２実施形態は、インターレース信号に基づきプログレッシブ信号を生成していることから第１実施形態に比較してプログレッシブ信号の品質が僅かに悪化する問題があるが、ディスク再生部１内に設けられた映像信号出力回路がＬＳＩ化されていることにより、プログレッシブ信号生成回路３がディスク再生部１の出力から直接プログレッシブ信号を生成できない場合に最適な構成である。
【００２３】
尚、本発明は上述した実施形態に限定されるものではない。例えば、上述した本実施形態によれば、ディスク再生部１から出力される映像信号が３０コマ／秒或は２４コマ／秒であるかの判断をＦＦＲＦ信号の有無で行っているが、他の信号に基づき映像信号のコマ数を判断しても良い。また、上述した実施形態によれば、映像信号出力回路はプログレッシブテレビのみに接続することを考慮して構成されているが、通常のインターレーステレビにも接続することができるよう、映像出力信号を常にインターレース信号にすることができる設定手段を設けてもよい。例えば、メニュー画面により、接続するテレビ受像機の方式がインターレーステレビであるのかプログレッシブテレビであるのかユーザーが選択できるようにし、インターレーステレビが選択された場合、切替回路５が常にインターレース信号生成回路２側となるように制御する。
【００２４】
更に、本実施形態の映像信号出力装置はＤＶＤビデオプレーヤを構成しているが、本発明はケーブルテレビジョン用のセットトップボックス（Set Top Box）や、ＢＳデジタルチューナ等、各種の映像信号出力装置に適用が可能である。
【００２５】
【発明の効果】
本発明によれば、映像信号のコマ数に拘わらず、プログレッシブ方式のテレビ受像機上で常に最高の画質を得ることができる。
【図面の簡単な説明】
【図１】第１実施形態による映像信号出力装置１０のブロック図。
【図２】第２実施形態による映像信号出力装置３０のブロック図。
【符号の説明】
１・・・ディスク再生部
２・・・インターレース信号生成回路
３・・・プログレッシブ信号生成回路
４・・・コントローラ（検出回路）
５・・・切替回路
６・・・Ｄ／Ａ変換器
１０、３０・・映像信号出力装置
【図１】
0004284003.tif 000002
【図２】
0004284003.tif 000003